(57)【要約】【課題】包装箱自体の横方向の強度が弱くならず、組み立て作業に手間がかからず、包装箱を組み上げると同時に２０個程度の区画が形成され、また包装箱と仕切体との数量管理も不要な包装箱を提供する。【解決手段】右側板1、前板2、左側板3、後板4、接続板5、中区切板6、貼着板7を折線を介し順次連設し、前板2に、上端に折線を介し複数の第一仕切片23を形成した第一仕切体20を連設し、この第一仕切体20の上端に折線を介し複数の第二仕切片33を形成した第二仕切体30を連設し、後板4に、上端に折線を介し上蓋8を連設し、さらに前板2又は後板4に、下端に折線を介し下蓋9を連設し、中区切板6に、上端に折線を介し複数の第三仕切片43を形成した第三仕切体40を連設し、この第三仕切体40の上端に折線を介し複数の第四仕切片53を形成した第四仕切体50を連設し、各折線にしたがって各構成板及び構成片を折り曲げ、重ね合わせ各個所を貼着し、多数の区画Ｓを四列に設けた。【選択図】図１
2013249092.tif 000002
【特許請求の範囲】
【請求項１】
右側板（１）、前板（２）、左側板（３）、後板（４）、接続板（５）、中区切板（６）、貼着板（７）を折線（ａ〜ｆ）を介して順次連設し、
前板（２）には、上端に折線（ｇ）を介して、第一貼着片（２１）と第一区切片（２２）の間に複数本の折線（ｈ）を略平行に設けると共に、これら折線（ｈ）に斜交する切込み（Ａ）を設けて複数の第一仕切片（２３）を形成した第一仕切体（２０）を連設し、この第一仕切体（２０）の上端に折線（ｉ）を介して、第二区切片（３１）と第二貼着片（３２）の間に複数本の折線（ｊ）を略平行に設けると共に、これら折線（ｊ）に斜交する切込み（Ｂ）を設けて複数の第二仕切片（３３）を形成した第二仕切体（３０）を連設し、
後板（４）には、上端に折線（ｇ）を介して上蓋（８）を連設し、さらに前板（２）又は後板（４）には、下端に折線（ｋ）を介して下蓋（９）を連設し、
中区切板（６）には、上端に折線（ｌ）を介して、第三貼着片（４１）と第三区切片（４２）の間に複数本の折線（ｍ）を略平行に設けると共に、これら折線（ｍ）に斜交する切込み（Ｃ）を設けて複数の第三仕切片（４３）を形成した第三仕切体（４０）を連設し、この第三仕切体（４０）の上端に折線（ｎ）を介して、第四区切片（５１）と第四貼着片（５２）の間に複数本の折線（ｏ）を略平行に設けると共に、これら折線（ｏ）に斜交する切込み（Ｄ）を設けて複数の第四仕切片（５３）を形成した第四仕切体（５０）を連設したものとし、
各折線（ａ〜ｏ）にしたがって各構成板及び構成片を折り曲げ、重ね合わせ、各個所を貼着することにより、多数の区画（Ｓ）を四列に設けたことを特徴とする包装箱。
【請求項２】
前記右側板（１）の上端に折線（ｇ）を介して内上蓋（１０ａ）を連設し、前記左側板（３）の上端に折線（ｇ）を介して内上蓋（１０ｂ）を連設し、前記上蓋（８）の上端に折線（ｐ）を介して差込片（１１）を連設したことを特徴とする請求項１記載の包装箱。
【請求項３】
前記右側板（１）の下端に折線（ｋ）を介して内下蓋（１２ａ）を連設し、前記左側板（３）の下端に折線（ｋ）を介して内下蓋（１２ｂ）を連設し、前記前板（２）又は後板（４）の下端に折線（ｋ）を介して内下蓋（１２ｃ）を連設したことを特徴とする請求項１又は２記載の包装箱。
【発明の詳細な説明】
【技術分野】
【０００１】
この発明は、試験管などの多数の小型容器や、薬品、化粧品、飲料などを収容した多数の小型容器が、箱体内でそれぞれ接触したり、倒れたりするのを防止する仕切体を有した包装箱に関するものである。
【背景技術】
【０００２】
従来、この種の包装箱としては、仕切体を箱体と一体型として構成し、箱体内に多数の区画を二列に設け、これらの区画内に、薬品、化粧品、食品、飲料などを収容した多数の小型容器を二列に並べて収納するようにしたものが存在する（特許文献１、２）。
【０００３】
さらに、この種の包装箱を区画する仕切体として、包装箱とは別体として構成し、多数の区画を三列に設けるようにしたものが存在する。この仕切体を包装箱にセットすれば、これらの区画内に、薬品、化粧品、食品、飲料などを収容した多数の小型容器を三列に並べて収納することができる（特許文献３）。
【先行技術文献】
【特許文献】
【０００４】
【特許文献１】特開２００７ー２３８１０３号公報
【特許文献２】特開２０１１ー１３１８９４号公報
【特許文献３】特開２００８ー３０７６０号公報
【発明の概要】
【発明が解決しようとする課題】
【０００５】
しかしながら、上記従来の包装箱は、小型容器を二列に並べて収納するようにしたものでは、より多くの小型容器を収納しようとしても１０個程度が限界であった。なぜなら、１０個以上の小型容器を収納しようとすると、横長の包装箱になってしまい、持ち運びするのに箱のバランスが悪くなったり、包装箱自体の横方向の強度が弱くなってしまうなどという問題点が生じるからである。
【０００６】
さらに、上記従来の包装箱は、小型容器を三列に並べて収納するようにしたものでは、仕切体が包装箱とは別体として構成されているので、その仕切体を包装箱にセットするのに手間がかかると共に、包装箱と仕切体との数量管理も面倒であるという問題点を有していた。
【０００７】
そこで、この発明は、上記従来の問題点を解決するものであり、小型容器を四列に並べて収納するようにし、２０個程度の小型容器を収納しても、横長の包装箱にはならず、包装箱自体の横方向の強度が弱くなってしまうことはなく、しかも包装箱と仕切体を一体型として構成し、組み立て作業に手間がかかることなく、包装箱と仕切体との数量管理も不要な包装箱を提供することを目的としてなされたものである。
【課題を解決するための手段】
【０００８】
この発明の包装箱は、右側板１、前板２、左側板３、後板４、接続板５、中区切板６、貼着板７を折線ａ〜ｆを介して順次連設し、前板２には、上端に折線ｇを介して、第一貼着片２１と第一区切片２２の間に複数本の折線ｈを略平行に設けると共に、これら折線ｈに斜交する切込みＡを設けて複数の第一仕切片２３を形成した第一仕切体２０を連設し、この第一仕切体２０の上端に折線ｉを介して、第二区切片３１と第二貼着片３２の間に複数本の折線ｊを略平行に設けると共に、これら折線ｊに斜交する切込みＢを設けて複数の第二仕切片３３を形成した第二仕切体３０を連設し、後板４には、上端に折線ｇを介して上蓋８を連設し、さらに前板２又は後板４には、下端に折線ｋを介して下蓋９を連設し、中区切板６には、上端に折線ｌを介して、第三貼着片４１と第三区切片４２の間に複数本の折線ｍを略平行に設けると共に、これら折線ｍに斜交する切込みＣを設けて複数の第三仕切片４３を形成した第三仕切体４０を連設し、この第三仕切体４０の上端に折線ｎを介して、第四区切片５１と第四貼着片５２の間に複数本の折線ｏを略平行に設けると共に、これら折線ｏに斜交する切込みＤを設けて複数の第四仕切片５３を形成した第四仕切体５０を連設したものとし、各折線ａ〜ｏにしたがって各構成板及び構成片を折り曲げ、重ね合わせ、各個所を貼着することにより、多数の区画Ｓを四列に設けたものとしている。
【０００９】
そして、この発明の包装箱は、前記右側板１の上端に折線ｇを介して内上蓋１０ａを連設し、前記左側板３の上端に折線ｇを介して内上蓋１０ｂを連設し、前記上蓋８の上端に折線ｐを介して差込片１１を連設したものとしている。
【００１０】
さらに、この発明の包装箱は、前記右側板１の下端に折線ｋを介して内下蓋１２ａを連設し、前記左側板３の下端に折線ｋを介して内下蓋１２ｂを連設し、前記前板２又は後板４の下端に折線ｋを介して内下蓋１２ｃを連設したものとしている。
【発明の効果】
【００１１】
この発明の包装箱は、多数の区画を四列に設けたものとしているので、小型容器を四列に並べて収納することができ、２０個程度の小型容器を収納しても、横長の包装箱にはならず、持ち運びするのに箱のバランスが悪くなるようなことはなく、包装箱自体の横方向の強度が弱くなってしまうようなことはなくなる。
【００１２】
さらに、この発明の包装箱は、仕切体を一体型として構成したので、組み立て作業に手間がかかることなく、包装箱を組み上げると同時に２０個程度の区画が形成され、また包装箱と仕切体との数量管理も不要なものとなる。
【００１３】
さらに、この発明の包装箱は、各折線にしたがって各構成板及び構成片を縦方向と横方向の二方向に折り曲げ、各個所を貼着することにより構成されるので、自動製函機（サックマシン）で作製でき、量産化がし易いものとなっている。
【図面の簡単な説明】
【００１４】
【図１】この発明の包装箱の展開した状態を示す内面図である。
【図２】この発明の包装箱の展開した状態を示す外面図である。
【図３】図１に示すこの発明の包装箱の第一仕切体と第二仕切体及びその近辺の拡大図である。
【図４】図１に示すこの発明の包装箱の第三仕切体と第四仕切体及びその近辺の拡大図である。
【図５】この発明の包装箱を組み立てるための折る順序を示しており、図１から折り進めた状態の説明図である。
【図６】この発明の包装箱を組み立てるための折る順序を示しており、図５から折り進めた状態の説明図である。
【図７】この発明の包装箱を組み立てるための折る順序を示しており、図６から折り進めた状態の説明図である。
【図８】この発明の包装箱を組み立てるための折る順序を示しており、図７から折り進めた状態の説明図である。
【図９】この発明の包装箱を組み立てるための折る順序を示しており、図８から折り進めた状態の説明図である。
【図１０】この発明の包装箱を組み立てた状態の斜視図である。
【図１１】図１０中のＡ−Ａ線によるこの発明の包装箱の断面図である。
【発明を実施するための形態】
【００１５】
以下、この発明の包装箱を実施するための形態を、図面に基づいて詳細に説明する。
【００１６】
この発明の包装箱は、図１に示したように、一枚の台紙において、右側板１、前板２、左側板３、後板４、接続板５、中区切板６、貼着板７を折線ａ、ｂ、ｃ、ｄ、ｅ、ｆを介して順次連設している。右側板１は左側板３と同形状にし、前板２は後板４と同形状に形成している。接続板５は右側板１及び左側板３の略１／２幅にし、中区切板６は前板２及び後板４と同一幅にしている。
【００１７】
前板２には、上端に折線ｇを介して、第一貼着片２１と第一区切片２２の間に複数本の折線ｈを略平行に設けると共に、これら折線ｈに斜交する切込みＡを設けて複数の第一仕切片２３を形成した第一仕切体２０を連設している。
【００１８】
さらに、前板２には、第一仕切体２０の上端に折線ｉを介して、第二区切片３１と第二貼着片３２の間に複数本の折線ｊを略平行に設けると共に、これら折線ｊに斜交する切込みＢを設けて複数の第二仕切片３３を形成した第二仕切体３０を連設している。
【００１９】
後板４には、上端に折線ｇを介して上蓋８を連設し、下端に折線ｋを介して下蓋９を連設している。この下蓋９は、図示していないが、前板２の下端に折線ｋを介して連設したものとしてもよい。
【００２０】
中区切板６には、上端に折線ｌを介して、第三貼着片４１と第三区切片４２の間に複数本の折線ｍを略平行に設けると共に、これら折線ｍに斜交する切込みＣを設けて複数の第三仕切片４３を形成した第三仕切体４０を連設している。
【００２１】
さらに、中区切板６には、第三仕切体４０の上端に折線ｎを介して、第四区切片５１と第四貼着片５２の間に複数本の折線ｏを略平行に設けると共に、これら折線ｏに斜交する切込みＤを設けて複数の第四仕切片５３を形成した第四仕切体５０を連設したものとしている。
【００２２】
また、この発明の包装箱は、前記右側板１の上端に折線ｇを介して内上蓋１０ａを連設し、前記左側板３の上端に折線ｇを介して内上蓋１０ｂを連設し、前記上蓋８の上端に折線ｐを介して差込片１１を連設したものとしている。
【００２３】
さらに、この発明の包装箱は、前記右側板１の下端に折線ｋを介して内下蓋１２ａを連設し、前記左側板３の下端に折線ｋを介して内下蓋１２ｂを連設し、前記前板２の下端に折線ｋを介して内下蓋１２ｃを連設したものとしている。また、この内下蓋１２ｃに代えて、前記下蓋９の下端に折線（図示せず）を介して差込片（図示せず）を連設したものとしてもよい。
【００２４】
なお、図中の網かけで示した部分は貼着部Ｐである。この貼着部Ｐは、包装箱の組み立て中に、適当な糊を塗布するなどして設けたものとしている。
【００２５】
そして、この発明の包装箱は、図１〜図９に示したように、各折線ａ〜ｏにしたがって各構成板及び構成片を折り曲げ、重ね合わせ、各個所を貼着することにより、多数の区画を四列に設けたものとしている。
【００２６】
以下、この発明の包装箱の組み立て順序について、詳細に説明する。
【００２７】
先ず、図１〜図５に示したように、第一仕切体２０を折線ｇにしたがって内側に折り曲げて、第一貼着片２１を前板２に貼着部Ｐで貼着すると共に、第三仕切体４０を折線ｌにしたがって内側に折り曲げて、第三貼着片４１を中区切板６に貼着部Ｐで貼着する。
【００２８】
次に、図５〜図６に示したように、第二仕切体３０を折線ｉにしたがって内側に折り曲げて、第一区切片２２と第二区切片３１とを貼着部Ｐで貼着すると共に、第四仕切体５０を折線ｎにしたがって内側に折り曲げて、第三区切片４２と第四区切片５１とを貼着部Ｐで貼着する。
【００２９】
さらに、図６〜図７に示したように、中区切板６を折線ｅにしたがって内側に折り曲げて、第四区切片５１を接続板５に貼着部Ｐで貼着すると共に、第四貼着片５２を後板４に貼着部Ｐで貼着する。
【００３０】
続けて、図７〜図８に示したように、後板４を折線ｃにしたがって内側に折り曲げて、貼着板７を左側板３に貼着部Ｐで貼着すると共に、中区切板６に第二貼着片３２を貼着部Ｐで貼着する。
【００３１】
そして、図８〜図９に示したように、右側板１を折線ａにしたがって内側に折り曲げて、この右側板１に接続板５及び第二区切片３１をそれぞれ貼着部Ｐで貼着する。
【００３２】
図９に示した状態では、この発明の包装用箱は、偏平状に折り畳まれたものとなっているので、輸送、保管などの際、場所をとらず、非常に便利なものとなる。
【００３３】
次に、図９の状態において、この発明の包装用箱に左右方向から力を加えると、右側板１、左側板３、後板４がそれぞれ起き上がる。そして、下蓋９、内下蓋１２ａ、１２ｂ、１２ｃをそれぞれ折線ｋにしたがって山折りし、これらを貼着すれば、図１０に示したように、この発明の包装用箱は偏平状から方形状となる。
【００３４】
すると、この発明の包装用箱は、第一仕切体２０の第一区切片２２及び第一仕切片２３と、第二仕切体３０の第二区切片３１、第二貼着片３２及び第二仕切片３３と、第三仕切体４０の第三貼着片４１、第三区切片４２及び第三仕切片４３と、第四仕切体５０の第四区切片５１、第四貼着片５２及び第四仕切片５３とが、それぞれ包装用箱内で起き上がり、図１１に示したように、これら第一仕切体２０〜第四仕切体５０によって、多数の区画Ｓが四列に形成される。
【００３５】
そこで、この発明の包装用箱は、前記多数の区画Ｓのそれぞれに、小型容器（図示せず）を直立状態として収納し、内上蓋１０ａ、１０ｂをそれぞれ折線ｇにしたがって山折りし、さらに上蓋８を折線ｇにしたがって山折りすると共に、差込片１１を折線ｐにしたがって山折りして、この差込片１１を前板２の内側に差し込めば、収納された多数の小型容器は包装用箱内で互いに接触することがなく、破損し難いものとなる。
【００３６】
しかも、この発明の包装箱は、前記区画Ｓを２０個程度にして、これらの区画Ｓに小型容器を収納するものとしても、横長の包装箱にはならず、持ち運びするのに箱のバランスが悪くなるようなことはなく、包装箱自体の横方向の強度が弱くなってしまうこともないものとなる。
【００３７】
さらに、この発明の包装箱は、第一仕切体２０、第二仕切体３０、第三仕切体４０、第四仕切体５０を一体型として構成したので、組み立て作業に手間がかかることなく、包装箱を組み上げると同時に２０個程度の区画が形成され、またこれら仕切体の数量管理も不要なものとなる。
【００３８】
また、この発明の包装用箱は、前記した順序で、各構成板及び構成片を折り曲げ、重ね合わせ、各貼着部で貼着する作業は、自動製函機（サックマシン）で行うことができるので、量産化がし易いものとなっている。
【符号の説明】
【００３９】
１  右側板
２  前板
３  左側板
４  後板
５  接続板
６  中仕切板
７  貼着板
８  上蓋
９  下蓋
１０ａ  内上蓋
１０ｂ  内上蓋
１１  差込片
１２ａ  内下蓋
１２ｂ  内下蓋
１２ｃ  内下蓋
２０  第一仕切体
２１  第一貼着片
２２  第一区切片
２３  第一仕切片
３０  第二仕切体
３１  第二区切片
３２  第二貼着片
３３  第二仕切片
４０  第三仕切体
４１  第三貼着片
４２  第三区切片
４３  第三仕切片
５０  第四仕切体
５１  第四区切片
５２  第四貼着片
５３  第四仕切片
ａ〜ｏ  折線
Ａ〜Ｄ  切込み
Ｐ  粘着部
【図１】
2013249092.tif 000003
【図２】
2013249092.tif 000004
【図３】
2013249092.tif 000005
【図４】
2013249092.tif 000006
【図５】
2013249092.tif 000007
【図６】
2013249092.tif 000008
【図７】
2013249092.tif 000009
【図８】
2013249092.tif 000010
【図９】
2013249092.tif 000011
【図１０】
2013249092.tif 000012
【図１１】
2013249092.tif 000013